(57)【要約】【課題】電源となる二次電池の性能が劣化しても揮発性メモリのデータを不揮発性メモリに完全にバックアップすることが可能な電池駆動装置を提供する。【解決手段】バックアップ電池を備えず二次電池１７のみの電源構成において、二次電池１７の充電回数を計数する充電回数計数部１３ａと、二次電池１７の充電回数があらかじめ定めた充電限度回数以上に達したことを検知した際に、二次電池１７からの電力供給を停止する電圧値としてあらかじめ定めたシャットダウン電圧閾値に対して、二次電池１７の充電回数に応じてあらかじめ定めたオフセット値を前記シャットダウン電圧閾値に加算して、調整シャットダウン電圧閾値として算出するシャットダウン電圧制御部１３ｃと、を備え、二次電池１７の電池電圧が前記調整シャットダウン電圧閾値に達した際に、内蔵する揮発性メモリ１３ｄのデータを不揮発性メモリ１３ｅにバックアップする動作を開始する。【選択図】図１
2020089099.tif 000002
【特許請求の範囲】
【請求項１】
二次電池から得られる電力によって動作する電池駆動装置において、
前記二次電池の充電回数を計数する充電回数計数部と、
前記二次電池の充電回数があらかじめ定めた充電限度回数以上に達したことを検知した際に、前記二次電池からの電力供給を停止する電圧値としてあらかじめ定めたシャットダウン電圧閾値に対して、前記二次電池の充電回数に応じてあらかじめ定めたオフセット値を加算して、調整シャットダウン電圧閾値として算出するシャットダウン電圧制御部と、
制御部と、
を有し、
前記制御部は、
前記二次電池の電池電圧が前記調整シャットダウン電圧閾値にまで低下した際に、内蔵する揮発性メモリのデータを不揮発性メモリにバックアップする動作を開始する、
ことを特徴とする電池駆動装置。
【請求項２】
前記二次電池を組み込んでからの経過時間を計時する組み込み時間測定部
をさらに有し、
前記二次電池の充電回数があらかじめ定めた充電限度回数以上に達したことを検知し、
かつ、前記二次電池を組み込んでからの経過時間があらかじめ定めた電池交換期限以上に達したことを検知した際に、
前記調整シャットダウン電圧閾値を算出し、
前記制御部は、
前記二次電池の交換を促す警告を出力するとともに、
前記二次電池の電池電圧が前記調整シャットダウン電圧閾値にまで低下した際に、内蔵する揮発性メモリのデータを不揮発性メモリにバックアップする動作を開始する、
ことを特徴とする請求項１に記載の電池駆動装置。
【請求項３】
前記揮発性メモリのデータを前記不揮発性メモリへバックアップする動作が完了した際に、前記二次電池の電力供給動作を停止する、
ことを特徴とする請求項１または２に記載の電池駆動装置。
【請求項４】
自電池駆動装置は、事業所用コードレス電話端末として構成されている、
ことを特徴とする請求項１ないし３のいずれかに記載の電池駆動装置。
【請求項５】
二次電池から得られる電力によって動作する電池駆動装置の制御方法において、
前記二次電池の充電回数を計数する充電回数計数ステップと、
前記二次電池の充電回数があらかじめ定めた充電限度回数以上に達したことを検知した際に、前記二次電池からの電力供給を停止する電圧値としてあらかじめ定めたシャットダウン電圧閾値に対して、前記二次電池の充電回数に応じてあらかじめ定めたオフセット値を加算して、調整シャットダウン電圧閾値として算出するシャットダウン電圧制御ステップと、
を有し、
前記二次電池の電池電圧が前記調整シャットダウン電圧閾値にまで低下した際に、内蔵する揮発性メモリのデータを不揮発性メモリにバックアップする動作を開始する、
ことを特徴とする電池駆動装置の制御方法。
【請求項６】
前記二次電池を組み込んでからの経過時間を計時する組み込み時間測定ステップ
をさらに有し、
前記二次電池の充電回数があらかじめ定めた充電限度回数以上に達したことを検知し、
かつ、前記二次電池を組み込んでからの経過時間があらかじめ定めた電池交換期限以上に達したことを検知した際に、
前記調整シャットダウン電圧閾値を算出し、
前記二次電池の交換を促す警告を出力するとともに、
前記二次電池の電池電圧が前記調整シャットダウン電圧閾値にまで低下した際に、内蔵する揮発性メモリのデータを不揮発性メモリにバックアップする動作を開始する、
ことを特徴とする請求項５に記載の電池駆動装置の制御方法。
【請求項７】
前記揮発性メモリのデータを前記不揮発性メモリへバックアップする動作が完了した際に、前記二次電池の電力供給動作を停止する、
ことを特徴とする請求項５または６に記載の電池駆動装置の制御方法。
【請求項８】
二次電池から得られる電力によって動作する電池駆動装置の制御プログラムにおいて、
前記二次電池の充電回数を計数する充電回数計数機能と、
前記二次電池の充電回数があらかじめ定めた充電限度回数以上に達したことを検知した際に、前記二次電池からの電力供給を停止する電圧値としてあらかじめ定めたシャットダウン電圧閾値に対して、前記二次電池の充電回数に応じてあらかじめ定めたオフセット値を加算して、調整シャットダウン電圧閾値として算出するシャットダウン電圧制御機能と、
を有し、
前記二次電池の電池電圧が前記調整シャットダウン電圧閾値にまで低下した際に、内蔵する揮発性メモリのデータを不揮発性メモリにバックアップする動作を開始する、
ことを特徴とする電池駆動装置の制御プログラム。
【請求項９】
前記二次電池を組み込んでからの経過時間を計時する組み込み時間測定機能
をさらに有し、
前記二次電池の充電回数があらかじめ定めた充電限度回数以上に達したことを検知し、
かつ、前記二次電池を組み込んでからの経過時間があらかじめ定めた電池交換期限以上に達したことを検知した際に、
前記調整シャットダウン電圧閾値を算出し、
前記二次電池の交換を促す警告を出力するとともに、
前記二次電池の電池電圧が前記調整シャットダウン電圧閾値にまで低下した際に、内蔵する揮発性メモリのデータを不揮発性メモリへのバックアップする動作を開始する、
ことを特徴とする請求項８に記載の電池駆動装置の制御プログラム。
【請求項１０】
前記揮発性メモリのデータを前記不揮発性メモリへバックアップする動作が完了した際に、前記二次電池の電力供給動作を停止する、
ことを特徴とする請求項８または９に記載の電池駆動装置の制御プログラム。
【発明の詳細な説明】
【技術分野】
【０００１】
本発明は、電池駆動装置、電池駆動装置の制御方法および電池駆動装置の制御プログラムに関し、特に、電源構成としてバックアップ電池を備えることなく二次電池のみを備えている電池駆動装置、電池駆動装置の制御方法および電池駆動装置の制御プログラムに関する。
【背景技術】
【０００２】
ＴＤＭＡ（Time  Division  Multiple  Access）方式デジタルコードレス電話システム（事業所用ＰＨＳ（Personal  Handy-phone  System）と称する）における事業所用コードレス電話端末は、通常、電源となる二次電池すなわちリチャージャブルバッテリとして、リチウムイオン電池を使用している。事業所用コードレス電話端末は、一般に、動作中においては高速の揮発性メモリであるＳＲＡＭ（Static  Random  Access  Memory）を使用して動作する。そして、この事業所用コードレス電話端末には、例えば、子機登録後やバッテリ（二次電池）低電圧時等においては、端末内に内蔵する不揮発性のフラッシュメモリに書き込みを必要とするセッションが存在している。
【０００３】
ここで、事業所用コードレス電話端末における電池駆動装置に電力を供給する二次電池としては、上述の如く、リチウムイオン電池が多く使用されている。図３は、一般的なリチウムイオン電池の充放電特性を示す特性図である。リチウムイオン電池は、図３に示すように、充放電を繰り返すと、電池の性能劣化が進み、新品の初期状態と比較して、電池電圧が低下するまでの時間が短くなってくる。そこで、リチウムイオン電池のサイクル寿命の定義として、図３に太線で示すように、充放電サイクル５００回において、電池最大電圧の６０％以上であることを保証するようにしている。電池最大電圧の６０％は、例えば、電池最大電圧４．２Ｖの場合は２．５Ｖ（＝４．２Ｖ×６０％）である。
【０００４】
なお、図３の特性図には、リチウムイオン電池の充放電回数をパラメータとして、初期状態の０回の他、３００回、５００回、８００回のそれぞれにおける電池電圧の放電特性を示している。そして、図３に示すように、電池電圧が電池最大電圧４．２Ｖの約７９％の３．３Ｖとなる値を、シャットダウン電圧閾値として定義している。シャットダウン電圧閾値は、リチウムイオン電池からの電力供給を遮断する電圧であり、過放電を防止して再充電を促すために設定している。また、電池電圧が電池最大電圧４．２Ｖの約２／３の２．８Ｖとなる値を、フラッシュメモリの記憶内容をリセットするリセット電圧閾値として定義している。
【０００５】
しかし、リチウムイオン電池は、充放電を繰り返して、電池の性能劣化が進むと、シャットダウン電圧閾値からリセット電圧閾値に達するまでの時間が、図３に示すように、充電回数０回、３００回、５００回それぞれの場合のＴ０、Ｔ３００、Ｔ５００のそれぞれに比べて、充電回数８００回の場合のＴ８００は急激に短くなってしまう。つまり、充電回数がサイクル寿命の５００回を超えると、シャットダウン電圧閾値からリセット電圧閾値に達するまでの時間が急激に短くなる（Ｔ０≧Ｔ３００≧Ｔ５００＞＞Ｔ８００）。
【０００６】
その結果、充電回数の如何によっては、シャットダウン電圧閾値に達したことを検知して、リチウムイオン電池からの電力供給を停止する動作を実施する前に、ＳＲＡＭメモリ等の揮発性メモリのデータをフラッシュメモリ等の不揮発性メモリにバックアップしようとしても、フラッシュメモリ等の不揮発性メモリのイレーズや書き込み動作を実行中に、急激に電池電圧が低下してリセット電圧閾値にまで低下してしまう可能性がある。つまり、リセット電圧閾値にまで低下してしまうと、フラッシュメモリ等の不揮発性メモリにリセットがかかってしまい、フラッシュメモリ等の不揮発性メモリのセクタ内のデータを破壊してしまう可能性が生じる。
【０００７】
言い換えると、リチウムイオン電池の性能が劣化しているために、シャットダウン電圧閾値を検知して、ＳＲＡＭメモリ等の揮発性メモリのデータをフラッシュメモリ等の不揮発性メモリへバックアップする動作を開始しても、バックアップの動作を実行している途中で、電池電圧がリセット電圧閾値にまで低下してしまう場合がある。その結果、フラッシュメモリ等の不揮発性メモリのセクタ内のデータを破壊してしまう可能性がある。
【０００８】
さらに説明すると、次の通りである。充電容量が十分に残っている新品のバッテリを使用していれば問題は発生しない。しかし、充放電を繰り返して性能が劣化している状態にある二次電池（バッテリ）を使用している場合には、消費電力の大きさ如何によっては、フラッシュメモリ等の不揮発性メモリに書き込み中に、電源電圧として必要とする動作電圧を下回ってしまう場合がある。その結果、フラッシュメモリ等の不揮発性メモリへのバックアップ動作に失敗して、保存すべきデータを消失してしまう可能性がある。
【０００９】
かかる事態を防止するために、例えば特許文献１の特開２０１３−００５３０３号公報「携帯端末」等にも記載されているように、事業所用コードレス電話端末は、端末全体に対して電源を供給する二次電池（主電池）以外に、該二次電池の充電時のバックアップ用としてサブバッテリ（副電池）を備え、該二次電池の充電を行う時には、サブバッテリ（副電池）からメモリやフラッシュメモリへ電力供給を行うような仕組みを採用している。また、かかるサブバッテリ（副電池）の代わりに、フラッシュメモリ部分に専用のバックアップ電池を備える場合もある。しかしながら、バックアップ用の電池のような補助電池をさらに備える構成は、二次電池（主電池）以外に、バックアップ用の補助電池を必要とするため、端末価格が上昇してしまうのみならず、事業所用コードレス電話端末の小型化における支障となるという問題が生じてしまい、実際に製品化を行うことは難しい。
【先行技術文献】
【特許文献】
【００１０】
【特許文献１】特開２０１３−００５３０３号公報
【発明の概要】
【発明が解決しようとする課題】
【００１１】
以上のように、本発明に関連する現状のＴＤＭＡ（Time  Division  Multiple  Access）方式デジタルコードレス電話システムにおいて使用される事業所用コードレス端末は、通常、電源（二次電池すなわちリチャージャブルバッテリ）として、リチウムイオン電池を使用している。ここで、事業所用コードレス端末は、時系列的に、平均して電力を消費する訳ではなく、音声信号の送信動作時（すなわちパワーアンプ駆動時）に最大の電力を消費する。通話している時に、リチウムイオン電池等の二次電池の電池電圧が低下して、動作保証最低電圧であるシャットダウン電圧閾値を下回った際には、リチウムイオン電池等の二次電池からの電力供給を停止する前に、揮発性の高速メモリである例えばＳＲＡＭ（Static  Random  Access  Memory）メモリに保存されているデータを、不揮発性メモリである例えばフラッシュメモリに退避してから、シャットダウンさせることが必要である。
【００１２】
しかしながら、リチウムイオン電池等の二次電池の電池電圧がシャットダウン電圧閾値よりもさらに低下してしまうことが生じる。その結果、ＳＲＡＭメモリ等の揮発性メモリのデータをフラッシュメモリ等の不揮発性メモリにバックアップさせる動作を開始しても、次のような事態が発生する可能性がある。すなわち、図４のフローチャートに示すように、二次電池の電池電圧としてフラッシュメモリ等の不揮発性メモリに完全にバックアップする時間が経過するまで、動作可能な電圧を維持することができない可能性がある。かかる事態に陥ると、バックアップ動作中に不揮発性メモリをリセットしてしまうリセット電圧閾値にまで二次電池の電池電圧がさらに低下してしまって、バックアップ動作中の不揮発性メモリの内部データが破壊されてしまう場合が生じる。図４は、事業所用コードレス端末のリチウムイオン電池の現状技術における一般的な制御動作を示すフローチャートであり、二次電池であるリチウムイオン電池の電池電圧の監視結果としてシャットダウンを行う場合の動作例を示している。
【００１３】
図４のフローチャートにおいて、事業所用コードレス端末が、消費電力が多くなる通話中の状態にあるときには（ステップＳ２１）、あらかじめ定めた周期ごとに例えば１分経過する都度、リチウムイオン電池の電池電圧（Ｖｂａｔ）を測定する（ステップＳ２２）。ここで、リチウムイオン電池の消費電力は、前述したように、音声信号の送信動作時（ＴＸ時）に最大になる。
【００１４】
次いで、測定したリチウムイオン電池の電池電圧（Ｖｂａｔ）がシャットダウンする電圧値としてあらかじめ定めたシャットダウン電圧閾値（Ｖｓｈｕｔ）例えば３．３Ｖ以下にまで低下しているか否かを調べる（ステップＳ２３）。リチウムイオン電池の電池電圧（Ｖｂａｔ）がシャットダウン電圧閾値（Ｖｓｈｕｔ）例えば３．３Ｖよりも大きい場合には（ステップＳ２３のＮＯ）、ステップＳ２２に戻って、リチウムイオン電池の電池電圧（Ｖｂａｔ）を測定動作を繰り返す。
【００１５】
一方、リチウムイオン電池の電池電圧（Ｖｂａｔ）がシャットダウン電圧閾値（Ｖｓｈｕｔ）例えば３．３Ｖ以下にまで低下した場合には（ステップＳ２３のＹＥＳ）、リチウムイオン電池の充電を促すためのバッテリアラームとして、警告音と「充電してください」との警告表示を出力する（ステップＳ２４）。そして、無線部を強制的にＯＦＦにして、音声信号の送信動作を停止する（ステップＳ２５）。
【００１６】
しかる後、揮発性メモリであるＳＲＡＭメモリのデータを不揮発性メモリであるフラッシュメモリ（ＦＲＯＭ：Flash  ＲＯＭ）にバックアップさせる動作を開始する（ステップＳ２６）。ここで、一般的に、ＳＲＡＭメモリのデータのフラッシュメモリへのバックアップ動作は、最大、イレーズ（ＥＲＡＳＥ）動作に２〜３秒、書き込み（ＷＲＩＴＥ）動作に数ミリ秒の時間を必要とする。また、電池電圧（Ｖｂａｔ）は、リセット電圧閾値の２．８Ｖよりも高くなっていることが必要であり、かつ、消費電力として数十ｍＡ必要とする。
【００１７】
フラッシュメモリへのバックアップが終了すると、リチウムイオン電池の充電を実施させるために、リチウムイオン電池からの電力供給をシャットダウンして、電源断状態に移行する（ステップＳ２７）。
【００１８】
ここで、ＳＲＡＭメモリのデータのフラッシュメモリへのバックアップ動作において、リチウムイオン電池の性能劣化により、前述したイレーズ（ＥＲＡＳＥ）＋書き込み（ＷＲＩＴＥ）に要する時間が経過するまでの間、リチウムイオン電池の電池電圧（Ｖｂａｔ）として動作可能な電圧レベルを確保することができなく、バックアップ動作中にリセット電圧閾値の２．８Ｖにまで低下してしまった場合には、前述したように、フラッシュメモリの保存内容が破壊されてしまう可能性がある。かかる事態に陥ると、事業所用コードレス端末としての通常動作において必要とするデータが欠落してしまうので、発着信ができなくなったり、通話を行うことができなくなったり、あるいは、設定値や画面表示が異常状態になったりして、サービスに重大な支障を与える可能性がある。
【００１９】
以上に説明したように、事業所用コードレス電話端末のような二次電池（バッテリ）駆動の端末においては、二次電池（バッテリ）の電池電圧が低下して、シャットダウン電圧閾値（Ｖｓｈｕｔ）としてあらかじめ規定している動作電圧の限界値に近付いてくると、通常、ＳＲＡＭメモリ等の揮発性メモリに保存されている内容をフラッシュメモリやＥＥＰＲＯＭ（Electrically  Erasable  Programmable  Read-Only  Memory）等の不揮発性メモリに退避させてから、二次電池（バッテリ）の電源をオフするというシャットダウン動作を行っている。かくのごとく、二次電池（バッテリ）の電源をシャットダウンする前に揮発性メモリの保存内容を不揮発性メモリに退避しておくことにより、端末の二次電池（バッテリ）の電源を次にオンにした際に、揮発性メモリの内容をシャットダウン前の状態に戻して、端末の使用を再開することができる。
【００２０】
一方、リチウムイオン電池等の二次電池は、充放電を繰り返すと、電池性能が劣化して、使用可能な時間が短くなってしまい、前述した図３に示すように、保証値以上の充電回数を重ねた場合には、シャットダウン電圧閾値（例えば３．３Ｖ）からリセット電圧閾値（例えば２．８Ｖ）に達するまでの電圧降下が急峻になる。すなわちシャットダウン電圧閾値からリセット電圧閾値にまで低下する時間が短くなる。その結果、リチウムイオン電池等の二次電池をバッテリ電源として使用している場合、揮発性メモリの保存内容を不揮発性メモリに退避させている間に、不揮発性メモリにリセットがかかってしまい、不揮発性メモリの保存内容を破壊してしまい、揮発性メモリのデータをバックアップさせることができなくなることが生じる。
【００２１】
バックアップに失敗すると、二次電池（バッテリ）の充電を行った後にバッテリ電源をオンにしても、該事業所用コードレス電話端末の揮発性メモリの内容をシャットダウン前の状態に戻すことができなくなり、該事業所用コードレス電話端末をシャットダウン前の状態から再開させることができなくなってしまうという、解決するべき課題が発生する。
【００２２】
したがって、バックアップ電池を備えることなく二次電池（バッテリ）のみをバッテリ電源として使用する場合においては、二次電池（バッテリ）の充放電を繰り返して、二次電池（バッテリ）の性能が劣化してしまった場合であっても、揮発性メモリの内容を不揮発性メモリに完全に退避させ、かつ、二次電池（バッテリ）の充電を行った後に二次電池（バッテリ）の電源をオンにした際に、揮発性メモリの内容をシャットダウン前の状態に必ず戻すことを可能にすることが重要である。
【００２３】
（本開示の目的）
本開示の目的は、以上のような事情に鑑み、二次電池をバッテリ電源として使用する場合において、たとえ該二次電池の性能が劣化しても、揮発性メモリのデータを不揮発性メモリに完全にバックアップした後に、二次電池の電力供給をシャットダウンすることを可能にする電池駆動装置、電池駆動装置の制御方法および電池駆動装置の制御プログラムを提供することにある。
【００２４】
より具体的には、本開示は、二次電池をバッテリ電源として使用する場合に二次電池の充電履歴から該二次電池の性能の劣化を予測し、予測結果に基づいて低電圧時における二次電池の制御を工夫することにより、揮発性メモリから不揮発性メモリへのバックアップ動作を実施する際のリスクを回避することが可能な電池駆動装置、電池駆動装置の制御方法および電池駆動装置の制御プログラムを提供することを、その目的としている。
【課題を解決するための手段】
【００２５】
前述の課題を解決するため、本発明による電池駆動装置、電池駆動装置の制御方法および電池駆動装置の制御プログラムは、主に、次のような特徴的な構成を採用している。
【００２６】
（１）本発明による電池駆動装置は、
二次電池から得られる電力によって動作する電池駆動装置において、
前記二次電池の充電回数を計数する充電回数計数部と、
前記二次電池の充電回数があらかじめ定めた充電限度回数以上に達したことを検知した際に、前記二次電池からの電力供給を停止する電圧値としてあらかじめ定めたシャットダウン電圧閾値に対して、前記二次電池の充電回数に応じてあらかじめ定めたオフセット値を加算して、調整シャットダウン電圧閾値として算出するシャットダウン電圧制御部と、
制御部と、
を有し、
前記制御部は、
前記二次電池の電池電圧が前記調整シャットダウン電圧閾値にまで低下した際に、内蔵する揮発性メモリのデータを不揮発性メモリにバックアップする動作を開始する、
ことを特徴とする。
【００２７】
（２）本発明による電池駆動装置の制御方法は、
二次電池から得られる電力によって動作する電池駆動装置の制御方法において、
前記二次電池の充電回数を計数する充電回数計数ステップと、
前記二次電池の充電回数があらかじめ定めた充電限度回数以上に達したことを検知した際に、前記二次電池からの電力供給を停止する電圧値としてあらかじめ定めたシャットダウン電圧閾値に対して、前記二次電池の充電回数に応じてあらかじめ定めたオフセット値を加算して、調整シャットダウン電圧閾値として算出するシャットダウン電圧制御ステップと、
を有し、
前記二次電池の電池電圧が前記調整シャットダウン電圧閾値にまで低下した際に、前記事業所用コードレス電話端末に内蔵する揮発性メモリのデータを不揮発性メモリにバックアップする動作を開始する
ことを特徴とする。
【００２８】
（３）本発明による電池駆動装置の制御プログラムは、
二次電池から得られる電力によって動作する電池駆動装置の制御プログラムにおいて、
前記二次電池の充電回数を計数する充電回数計数機能と、
前記二次電池の充電回数があらかじめ定めた充電限度回数以上に達したことを検知した際に、前記二次電池からの電力供給を停止する電圧値としてあらかじめ定めたシャットダウン電圧閾値に対して、前記二次電池の充電回数に応じてあらかじめ定めたオフセット値を加算して、調整シャットダウン電圧閾値として算出するシャットダウン電圧制御機能と、
を有し、
前記二次電池の電池電圧が前記調整シャットダウン電圧閾値にまで低下した際に、前記事業所用コードレス電話端末に内蔵する揮発性メモリのデータを不揮発性メモリにバックアップする動作を開始する、
ことを特徴とする。
【発明の効果】
【００２９】
本発明の電池駆動装置、電池駆動装置の制御方法および電池駆動装置の制御プログラムによれば、主に、以下のような効果を奏することができる。
【００３０】
すなわち、本発明においては、例えば事業所用コードレス電話端末の電源となる電池駆動装置に電力を供給する二次電池（バッテリ）が充放電を繰り返した結果、その二次電池の性能が劣化してしまった場合であっても、まだ、該二次電池（バッテリ）の電池電圧が、電力供給動作を停止する電圧値としてあらかじめ定めたシャットダウン電圧閾値よりも高い電圧値にある間に、揮発性メモリのデータを不揮発性メモリにバックアップする動作を開始する仕組みを備えている。したがって、該二次電池（バッテリ）からの電力供給のシャットダウンに先立って、揮発性メモリのデータを不揮発性メモリへ完全にバックアップさせることができる。
【００３１】
而して、二次電池（バッテリ）を充電した後または電池交換した後に電力供給を再開した時に、事業所用コードレス電話端末は、不揮発性メモリにバックアップしたデータに基づいてシャットダウン前の状態に完全に戻して、事業所用コードレス電話端末としての動作を再開させることができる。
【図面の簡単な説明】
【００３２】
【図１】本発明に係る電池駆動装置の一実施形態を適用した事業所用コードレス電話端末の内部構成の一例を示すブロック構成図である。
【図２】図１に示した事業所用コードレス電話端末の動作の一例を示すフローチャートである。
【図３】一般的なリチウムイオン電池の充放電特性を示す特性図である。
【図４】事業所用コードレス端末のリチウムイオン電池の現状技術における一般的な制御動作を示すフローチャートである。
【発明を実施するための形態】
【００３３】
以下、本発明による電池駆動装置、電池駆動装置の制御方法および電池駆動装置の制御プログラムの好適な実施形態について添付図を参照して説明する。なお、以下の説明においては、本発明による電池駆動装置および電池駆動装置の制御方法について説明するが、かかる電池駆動装置の制御方法をコンピュータにより実行可能な電池駆動装置の制御プログラムとして実施するようにしても良いし、あるいは、電池駆動装置の制御プログラムをコンピュータにより読み取り可能な記録媒体に記録するようにしても良いことは言うまでもない。また、以下の各図面に付した図面参照符号は、理解を助けるための一例として各要素に便宜上付記したものであり、本発明を図示の態様に限定することを意図するものではないことも言うまでもない。
【００３４】
（本発明の特徴）
本発明の実施形態の説明に先立って、本発明の特徴についてその概要をまず説明する。本発明は、二次電池から得られる電力によって動作する電池駆動装置において、二次電池の充放電を繰り返した結果、該二次電池の性能が劣化して該二次電池を充電しても電池電圧が元の電圧まで回復することができない状態で運用している場合であっても、フラッシュメモリ等の不揮発性メモリに保存するデータを保護することを可能にする仕組みを備えていることを主要な特徴としている。
【００３５】
すなわち、本発明は、フラッシュメモリ等の不揮発性メモリにデータを保存する書き込み動作をしている間にあるいはフラッシュメモリ等の不揮発性メモリ内のデータを消去するイレーズ動作をしている間に、例えば本電池駆動装置により電力を供給される事業所用コードレス電話端末全体で二次電池の電力を消費して、該二次電池の電池電圧があらかじめ定めたリセット電圧閾値まで低下してしまって、フラッシュメモリにリセットがかかってしまう状態を確実に回避する仕組みを備えていることを主要な特徴としている。
【００３６】
より具体的に説明すると、本発明の電池駆動装置は、リチウムイオン電池等の二次電池の充電を完了したことを示す充電完了フラグのオン回数（すなわち充電回数）をカウントして、該二次電池の劣化状態を予測する機能を備えている。
【００３７】
そして、充電回数があらかじめ定めた充電限度回数以上に多い回数になったことを検知した際に、二次電池の電力供給動作を停止させる電圧値となるシャットダウン電圧閾値に対して充電回数に応じてあらかじめ設定したオフセット値を加算して、バックアップ動作起動用の調整シャットダウン電圧閾値を算出する機能を備えている。その結果、二次電池の電池電圧が該調整シャットダウン電圧閾値にまで低下した時点で、バックアップ動作が起動されるので、シャットダウン動作に先立って実施する不揮発性メモリへの書き込みやイレーズ等のバックアップ動作時間に余裕を持たせることを実現している。
【００３８】
而して、不揮発性メモリへの書き込みやイレーズの動作中に二次電池の電池電圧がリセット電圧閾値以下にまで急速に低下してしまって、不揮発性メモリの保存内容を破壊してしまうことを防止することを可能にしている。
【００３９】
つまり、本発明の電池駆動装置は、二次電池(バッテリ)駆動機構として、バックアップ電池を保持することなく、二次電池（バッテリ）のみを電源として用いる構成を有している。そして、二次電池（バッテリ）の充電回数があらかじめ規定した充電限度回数以上となった場合には、二次電池（バッテリ）の性能劣化が進んでいて、低電圧動作が必須の状態になったものと判断する。
【００４０】
かかる二次電池の劣化状態を検知した場合、前記シャットダウン電圧閾値に対して、充電回数に応じてあらかじめ定めたオフセット値を加算して、前記調整シャットダウン電圧閾値を算出することにより、シャットダウン準備動作（すなわち揮発性メモリの保存内容の不揮発性メモリへの退避動作）の開始電圧を高く設定して、揮発性メモリから不揮発性メモリへの退避動作時間に余裕を持たせ、退避動作を完全に完了させてから、二次電池のシャットダウンを行うという仕組みを備えている。
【００４１】
さらに、二次電池（バッテリ）の充電回数があらかじめ規定した充電限度回数以上となり、かつ、二次電池を組み込んでからの経過時間があらかじめ定めた電池交換期限に達していた場合には、電池交換を必要とするほどの劣化状態になったものと判断することも主要な特徴としている。
【００４２】
かかる劣化状態に陥った場合には、二次電池の交換を指示する電池交換アラームを表示することにより、電池駆動装置のユーザに二次電池の交換を促す契機を提供することが可能になる。さらには、二次電池の交換を行う動作に先立って、前記シャットダウン準備動作（すなわち揮発性メモリの保存内容の不揮発性メモリへの退避動作）の開始電圧を高く設定して、揮発性メモリから不揮発性メモリへの退避動作時間に余裕を持たせ、退避動作を完全に完了させてから、二次電池のシャットダウンを行い、二次電池の交換動作に移行することも可能にしている。
【００４３】
さらに説明すると、次の通りである。長期間に亘って充放電を繰り返した結果として性能劣化した二次電池を使用して、二次電池を低電圧状態のまま運用していると、フラッシュメモリ等の不揮発性メモリにデータを書き込みしている間にあるいは不揮発性メモリの記憶内容を消去（イレーズ）している間に電池電圧が急速にリセット電圧閾値まで下がってしまい、不揮発性メモリにリセットがかかって、不揮発性メモリ内のデータを破壊してしまうことがある。
【００４４】
そこで、本発明に係る電池駆動装置は、二次電池の充放電サイクルの回数（充電回数）と二次電池を組み込んでからの経過時間とをカウントする機能と充電回数に応じて前記シャットダウン電圧閾値を加算した値に調整する（すなわち調整シャットダウン電圧閾値を算出する）機能とを備えた構成とすることを主要な特徴としている。
【００４５】
而して、電池駆動装置のユーザに二次電池の劣化状態を認知させて二次電池の交換を促すことを可能にするとともに、二次電池の交換を実施するまでの間にフラッシュメモリ等の不揮発性メモリにデータを保存する際には、低電圧閾値すなわち前記シャットダウン電圧閾値をより高い電圧値（すなわち前記調整シャットダウン電圧閾値）に調整して不揮発性メモリへの保存動作を開始する時間を早くすることにより、必要とするデータの保存を完了するまでの制限時間に余裕を持たせ、不揮発性メモリ内のデータが破壊されるリスクを低減することを可能にしている。
【００４６】
（本発明の実施形態の構成例）
次に、本発明に係る電池駆動装置の内部構成について、その一例を、図１を参照しながら詳細に説明する。なお、図１には、本発明に係る電池駆動装置が、事業所用コードレス電話端末に組み込まれて実施されている場合を例にして示している。図１は、本発明に係る電池駆動装置の一実施形態が組み込まれた事業所用コードレス電話端末の内部構成の一例を示すブロック構成図である。ここで、図１の事業所用コードレス電話端末１０は、事業所用ＰＨＳシステム１００におけるＴＤＭＡ方式デジタルコードレス電話子機（ＰＳ：Personal  Station）として用いられている場合の例である。なお、事業所用ＰＨＳシステムは、Personal  Handyphone  Systemであり、ＴＤＭＡ方式狭帯域デジタルコードレス電話システムとも称される。本発明の電池駆動装置が適用される事業所用コードレス電話端末は、かかる無線方式に限るものではなく、二次電池駆動の事業所用コードレス電話端末であれば、如何なる無線端末であっても差し支えない。
【００４７】
図１に示す事業所用コードレス電話端末１０は、事業所用ＰＨＳシステム１００の子機（ＰＳ）端末として、周波数１８９３．６５〜１９０５．９５ＭＨｚの無線信号を使用して親機の基地局（ＣＳ：Cell  Station）２０と無線接続され、主装置３０を経由して外線と接続される。なお、図１には、事業所用コードレス電話端末１０の内部構成を示すが、この内部構成では、電源となる二次電池（バッテリ）の制御を行う回路部分を中心にする一例が示してある。
【００４８】
図１に示す事業所用コードレス電話端末１０は、内部に、アンテナ１１、無線部（ＲＦ）１２、制御部（ＣＰＵ）１３、充電検知部（ＣＨＧ＿ＤＥＴ）１４、充電ＩＣ（ＣＨＧ  ＩＣ）１５、充電端子（ＣＨＧ）１６、二次電池（ＢＡＴ）１７を備える。そして、事業所用コードレス電話端末１０は、電池電源として二次電池（ＢＡＴ）１７のみを備え、バックアップ電源を備えていない構成となっている。
【００４９】
アンテナ１１は、基地局２０との間で無線電波を伝搬し、無線部１２は、基地局２０との間で送受信する信号に関する無線・有線の変換を行う。制御部（ＣＰＵ）１３は、事業所用コードレス電話端末１０全体の動作を制御する。充電検知部（ＣＨＧ＿ＤＥＴ）１４は、充電端子（ＣＨＧ）１６から充電ＩＣ（ＣＨＧ  ＩＣ）１５を介して二次電池（ＢＡＴ）１７に供給される充電電力を監視し、二次電池（ＢＡＴ）１７の充電状態を検知する。充電ＩＣ（ＣＨＧ  ＩＣ）１５は、充電端子（ＣＨＧ）１６から供給される充電電力を受け取って二次電池（ＢＡＴ）を充電するための制御を行う。充電端子（ＣＨＧ）１６は、充電用の電源と接続する。二次電池（ＢＡＴ）１７は、リチウムイオン電池等からなり、事業所用コードレス電話端末１０全体に電源電力を供給する。
【００５０】
また、制御部１３は、充電回数計数部１３ａ、組み込み時間測定部１３ｂ、シャットダウン電圧制御部１３ｃ、揮発性メモリ１３ｄ、不揮発性メモリ１３ｅを備えている。
【００５１】
充電回数計数部１３ａは、二次電池１７への充電が完了すると、充電検知部１４から通知されてくる充電完了フラグが‘１’になった回数を充電回数（Ｃｃｈｇ）としてカウント（計数）する。そして、あらかじめ定めた充電限度回数以上に多い回数になったことを検知すると、該充電回数（Ｃｃｈｇ）をシャットダウン電圧制御部１３ｃに対して通知する。また、組み込み時間測定部１３ｂは、二次電池１７を事業所用コードレス電話端末１０に組み込んでからの経過時間（Ｔ）を測定する。そして、経過時間（Ｔ）があらかじめ定めた電池交換期限以上に達した場合、電池の交換を促すメッセージと警告音とを出力して事業所用コードレス電話端末１０のユーザに通知する。
【００５２】
また、シャットダウン電圧制御部１３ｃは、充電回数計数部１３ａから通知されてくる充電回数（Ｃｃｈｇ）と組み込み時間測定部１３ｂから通知されてくる経過時間（Ｔ）とに基づいて、二次電池１７の電力供給をシャットダウンする電圧値としてあらかじめ定めたシャットダウン電圧閾値に対して、充電回数（Ｃｃｈｇ）に応じてあらかじめ設定したオフセット電圧を加算して、バックアップ動作起動用の調整シャットダウン電圧閾値を算出する。つまり、バックアップ動作起動用に用いる該調整シャットダウン電圧閾値は、前記シャットダウン電圧閾値よりも高い値に設定される。
【００５３】
すなわち、シャットダウン電圧制御部１３ｃは、二次電池１７の充電回数（Ｃｃｈｇ）があらかじめ定めた充電限度回数以上に達したことを検知した際に、二次電池１７からの電力供給を停止する電圧値としてあらかじめ定めたシャットダウン電圧閾値に対して、二次電池１７の充電回数（Ｃｃｈｇ）に応じてあらかじめ定めたオフセット値を加算して、バックアップ動作起動用の前記調整シャットダウン電圧閾値として算出する。
【００５４】
あるいは、シャットダウン電圧制御部１３ｃは、二次電池１７の充電回数（Ｃｃｈｇ）があらかじめ定めた充電限度回数以上に達したことを検知し、かつ、二次電池１７を組み込んでからの経過時間（Ｔ）があらかじめ定めた電池交換期限以上に達したことを検知した際にも、前記シャットダウン電圧閾値に対して、前記オフセット値を加算して、バックアップ動作起動用の前記調整シャットダウン電圧閾値として算出することが可能である。
【００５５】
その結果、二次電池１７の電池電圧が、前記シャットダウン電圧閾値よりも高い値に設定された調整シャットダウン電圧閾値にまで低下した場合には、揮発性メモリ１３ｄの保存内容を不揮発性メモリ１３ｅにバックアップさせる動作（シャットダウン準備動作）を直ちに開始することになる。而して、バックアップ動作時間に余裕を持たせることができ、バックアップ動作の途中でメモリリセットが発生してしまうことなく、バックアップ動作を確実に完了させることが可能になる。
【００５６】
なお、二次電池１７を組み込んでからの経過時間（Ｔ）があらかじめ定めた電池交換期限以上に達していた場合には、前述したように、二次電池１７の交換を促す警告を出力して、事業所用コードレス電話端末１０のユーザに通知することも可能にしている。
【００５７】
また、内蔵する揮発性メモリ１３ｄは、高速動作が可能なＳＲＡＭメモリ（Static  Random  Access  Memory）等からなり、制御部１３上で動作するプログラムを不揮発性メモリ１３ｅから読み出して動作させたり、動作結果や監視結果等を示すデータを保存したりする。また、内蔵する不揮発性メモリ１３ｅは、フラッシュメモリやＥＥＰＲＯＭ等からなり、プログラムや登録内容に関するデータを格納しておいたり、揮発性メモリ１３ｄのデータを退避したりする。
【００５８】
（実施形態の動作の説明） 
次に、実施形態の一例として図１に示した事業所用コードレス電話端末１０の動作について、二次電池１７の制御に関する動作の一例を、図２のフローチャートを参照しながら詳細に説明する。図２は、図１に示した事業所用コードレス電話端末１０の動作の一例を示すフローチャートであり、二次電池１７の充電回数（Ｃｃｈｇ）および事業所用コードレス電話端末１０に二次電池１７を組み込んでからの経過時間（Ｔ）それぞれのカウント結果に基づく二次電池１７の制御動作の一例を示している。
【００５９】
図２のフローチャートにおいて、新品の状態にあった二次電池１７の電池電圧が低下したために、事業所用コードレス電話端末１０の充電端子１６に充電用の電源を接続して、充電動作を開始すると、まず、充電回数（Ｃｃｈｇ）を‘０’に初期化するとともに、事業所用コードレス電話端末１０への組み込み後の経過時間（Ｔ）を‘０’に初期化する（ステップＳ１）。また、充電動作が開始されると、充電ＩＣ１５は、二次電池１７の電池電圧があらかじめ定めた一定電圧に達するまで定電流充電（急速充電：ＣＣ（Constant  Current））を実施し、該一定電圧を超えると、定電圧充電（トリクル充電：ＣＶ（Constant  Voltage））に切り替えて充電を行う（ステップＳ２）。
【００６０】
しかる後、充電検知部１４において、二次電池１７に対する充電電流があらかじめ定めた電流値以下に低下したことを検知すると、二次電池１７が満充電の状態に達したものと判断して、二次電池１７の充電が完了した旨を示す充電完了フラグ（Ｆｃｈｇ：充電状態を監視するポート）を‘１’に設定して、制御部１３に対して通知する。制御部１３は、充電完了フラグ（Ｆｃｈｇ）が‘１’になったか否かを確認し（ステップＳ３）、充電完了フラグ（Ｆｃｈｇ）が‘１’になっていなかった場合には（ステップＳ３のＮＯ）、ステップＳ２３に戻って、充電動作を継続する。
【００６１】
一方、充電完了フラグ（Ｆｃｈｇ）が‘１’になっていた場合には（ステップＳ３のＹＥＳ）、制御部１３は、充電回数計数部１３ａにおいて、充電回数（Ｃｃｈｇ）に‘１’を加えてカウントアップして、該充電回数（Ｃｃｈｇ）を不揮発性メモリ１３ｅに保存する（ステップＳ４）。
【００６２】
そして、充電回数（Ｃｃｈｇ）があらかじめ定めた充電限度回数以上になったか否かを確認する（ステップＳ５）。該充電限度回数は、二次電池１７の種類にも依存するが、図３に前述したように、通常は５００回（サイクル）が保証値として採用されることが多い。充電回数（Ｃｃｈｇ）が充電限度回数に達していなかった場合には（ステップＳ５のＮＯ）、ステップＳ２に復帰して、次の充電開始動作に備える。
【００６３】
これに対して、充電回数（Ｃｃｈｇ）が充電限度回数以上に達していた場合には（ステップＳ５のＹＥＳ）、次に、組み込み時間測定部１３ｂにおいて、二次電池１７を事業所用コードレス電話端末１０に組み込んでからの経過時間（Ｔ）があらかじめ定めた電池交換期限以上に経過しているか否かを確認する（ステップＳ６）。該電池交換期限についても、充電限度回数の場合と同様に、二次電池１７の種類にも依存するが、通常は１年が保証期限として採用されることが多い。経過時間（Ｔ）が電池交換期限に達していなかった場合には（ステップＳ６のＮＯ）、ステップＳ６に移行して、シャットダウン電圧閾値（Ｖｓｈｕｔ）を調整する動作を行う。
【００６４】
一方、経過時間（Ｔ）が電池交換期限に達していた場合には（ステップＳ６のＹＥＳ）、二次電池１７の充電回数（Ｃｃｈｇ）が充電限度回数以上になり、かつ、二次電池１７を組み込んでからの経過時間（Ｔ）が電池交換期限以上になっているので、制御部１３は、まず、バッテリアラーム表示として「電池を交換してください」との警告を表示すると同時に、警告音を出力して、事業所用コードレス電話端末１０のユーザに対して通知する（ステップＳ７）。しかる後、ステップＳ６に移行して、シャットダウン電圧閾値（Ｖｓｈｕｔ）を調整する動作を行う。
【００６５】
ステップＳ８に移行すると、制御部１３は、シャットダウン電圧制御部１３ｃを起動して、二次電池１７の充電回数に基づいて、電力供給を停止させる電圧値であるシャットダウン電圧閾値（Ｖｓｈｕｔ）以下にまで低下する可能性がある低電圧動作状態における制御として、該シャットダウン電圧閾値（Ｖｓｈｕｔ）を調整する動作を行い、揮発性メモリ１３ｄに保存しているデータを不揮発性メモリ１３ｅにバックアップさせる動作（シャットダウン準備動作と称する）を確実に完了させるための制御を行う。
【００６６】
すなわち、シャットダウン電圧制御部１３ｃは、二次電池１７の充電回数に基づいて、二次電池１７の性能劣化に伴い、二次電池１７の電池電圧が、前記シャットダウン電圧閾値（Ｖｓｈｕｔ）以下にまで低下した後、さらに、不揮発性メモリ１３ｅのリセットを行う電圧値としてあらかじめ設定されているリセット電圧閾値にまで急速に低下してしまう事態に陥ってしまう可能性があると判断する。したがって、シャットダウン電圧制御部１３ｃは、揮発性メモリ１３ｄのデータを不揮発性メモリ１３ｅに完全にはバックアップさせることができなくなるという事態を回避させる制御を行う。ここで、前述したように、不揮発性メモリ１３ｅへのバックアップには、イレーズにために最大２〜３秒の時間がかかり、また、不揮発性メモリ１３ｅへの書き込みのために最大数ミリ秒の時間がかかる。
【００６７】
このため、シャットダウン電圧制御部１３ｃは、不揮発性メモリ１３ｅへのバックアップ動作に必要とする時間を確保するために、充電回数（Ｃｃｈｇ）に応じてあらかじめ設定したオフセット値をシャットダウン電圧閾値（Ｖｓｈｕｔ）に加算して、バックアップ動作起動用の調整チャットダウン電圧閾値を算出する（ステップＳ８）。ここで、該オフセット値としては、充電回数（Ｃｃｈｇ）が多いほど、より大きい値にあらかじめ設定されている。
【００６８】
その結果、二次電池１７の電池電圧が前記調整チャットダウン電圧閾値にまで低下した時点すなわちシャットダウン電圧閾値（Ｖｓｈｕｔ）よりも高い電圧値にまで低下した時点から、シャットダウン準備動作（すなわち揮発性メモリ１３ｄに保存しているデータを不揮発性メモリ１３ｅにバックアップさせる動作）を開始させることができ、該シャットダウン準備動作を早めに起動させることができる。したがって、バックアップ動作に利用することが可能な時間に余裕を持たせることが可能になり、揮発性メモリ１３ｄのデータを不揮発性メモリ１３ｅに完全にバックアップさせることができる。
【００６９】
そして、揮発性メモリ１３ｄのデータを不揮発性メモリ１３ｅへバックアップさせる動作が完了したことを確認すると、制御部１３は、二次電池１７のシャットダウン（電源断）を実行して、二次電池１７の電力供給動作を停止させる（ステップＳ９）。ここで、さらに、バックアップ動作の正常性を確認するために、二次電池１７の電池電圧がシャットダウン電圧閾値（Ｖｓｈｕｔ）以上に高い値になっていることを確認することも併せて実施するようにしても良い、かかる場合には、二次電池１７の電池電圧がシャットダウン電圧閾値（Ｖｓｈｕｔ）にまで低下したことを検知した時点で、二次電池１７の電力供給動作を停止させるようにしても良い。
【００７０】
しかる後、二次電池１７の充電回数（Ｃｃｈｇ）が充電限度回数以上になり（ステップＳ５のＹＥＳ）、かつ、二次電池１７を組み込んでからの経過時間（Ｔ）が電池交換期限以上になっていた場合には（ステップＳ６のＹＥＳ）、ステップＳ７において、二次電池１７の交換に関する警告を出力しているので、事業所用コードレス電話端末１０のユーザは、二次電池１７を新しい電池に交換する。そして、電源をオンにして、二次電池１７からの電力供給を開始すると、不揮発性メモリ１３ｅにバックアップしていたデータに基づいて、シャットダウン前の状態に戻して、事業所用コードレス電話端末１０の動作を再開させる。
【００７１】
一方、二次電池１７の充電回数（Ｃｃｈｇ）が充電限度回数以上になったものの（ステップＳ５のＹＥＳ）、二次電池１７を組み込んでからの経過時間（Ｔ）が電池交換期限までに達していなかった場合には（ステップＳ６のＮＯ）、低電圧動作状態に陥っているものの、まだ、二次電池１７の交換を要する状態にはなっていないので、二次電池１７を充電する動作を行う。そして、充電が完了した後、電源をオンにして、二次電池１７からの電力供給を開始すると、不揮発性メモリ１３ｅにバックアップしていたデータに基づいて、シャットダウン前の状態に戻して、事業所用コードレス電話端末１０の動作を再開させる。
【００７２】
（実施形態の効果の説明）
以上に詳細に説明したように、本実施形態においては、事業所用コードレス電話端末１０の電源となる二次電池１７が充放電を繰り返した結果、性能が劣化してしまった場合、まだ、二次電池１７の電池電圧が、シャットダウン電圧閾値（Ｖｓｈｕｔ）よりも高い電圧値にある間に、すなわち、シャットダウン電圧閾値（Ｖｓｈｕｔ）よりも高い電圧値である調整シャットダウン電圧閾値にまで低下した時点から、直ちに、シャットダウン準備動作（揮発性メモリ１３ｄのデータを不揮発性メモリ１３ｅにバックアップする動作）を開始する仕組みを備えている。したがって、二次電池１７からの電力供給のシャットダウンに先立って、揮発性メモリ１３ｄのデータを不揮発性メモリ１３ｅへ完全にバックアップさせることができる。
【００７３】
つまり、本実施形態においては、電源となる二次電池１７の性能劣化状態を、充電回数（Ｃｃｈｇ）に基づいて予測し、二次電池１７を充電しても元の電圧レベルに戻すことができなく、低電圧動作を行わざるを得ない劣化状態に陥っていることを検知した際に、二次電池１７からの電源供給をシャットダウンするシャットダウン電圧閾値（Ｖｓｈｕｔ）の値を、充電回数に応じてあらかじめ定めたオフセット値だけ加算した値に更新する仕組みを備えている。あるいは、二次電池１７の性能劣化状態を、充電回数（Ｃｃｈｇ）および組み込み後の経過時間（Ｔ）に基づいて予測し、二次電池１７の交換を必要とする劣化状態に陥っていることを検知した際には、二次電池１７の交換を指示するアラームを出力するとともに、前記シャットダウン電圧閾値（Ｖｓｈｕｔ）の値を、充電回数に応じてあらかじめ定めた前記オフセット値だけ加算した値に更新する仕組みを備えている。
【００７４】
したがって、シャットダウン準備動作（揮発性メモリ１３ｄのデータを不揮発性メモリ１３ｅにバックアップする動作）を開始する時点を早くすることができ、揮発性メモリ１３ｄのデータをバックアップしている途中に、不揮発性メモリ１３ｅへ供給する電池電圧が低下してしまって、不揮発性メモリ１３ｅのバックアップ内容を破壊してしまう事態を確実に防止することができる。例えば、事業所用コードレス電話端末１０が通話中の状態にあった際に、二次電池１７の電池電圧が通話用に必要とする動作最低電圧以下に低下しても、通話中の状態を示すデータとして揮発性メモリ１３ｄに保存されているデータを不揮発性メモリ１３ｅにバックアップする動作を確実に保証することができる。
【００７５】
而して、充電した後の二次電池１７による電力供給を再開した時あるいは新品の二次電池１７に交換した後に電力供給を開始した時、事業所用コードレス電話端末１０は、不揮発性メモリ１３ｅにバックアップしていたデータに基づいてシャットダウン前の状態に完全に戻して、事業所用コードレス電話端末１０としての動作を再開させることができる。
【００７６】
さらには、消耗品であるリチウムイオン電池等の二次電池１７の適切な時期での交換をユーザに促すことが可能であるので、二次電池１７の性能劣化が原因となる事故の発生を未然に防止することも可能となる。
【００７７】
なお、シャットダウン準備動作（揮発性メモリ１３ｄのデータを不揮発性メモリ１３ｅにバックアップする動作）を確実に実施するための仕組み（すなわち充電回数（Ｃｃｈｇ）と組み込み後の経過時間（Ｔ）とによる二次電池１７の性能劣化の予測および不揮発性メモリ１３ｅへのバックアップ動作開始に関する制御動作）は、事業所用コードレス電話端末１０のハードウェアに関する現状からの変更を一切行う必要はなく、事業所用コードレス電話端末１０のソフトウェアの変更のみで実現することができる。したがって、現状の事業所用コードレス電話端末１０に対してソフトウェアをダウンロードし直すことにより、本実施形態に示す効果を簡単に取得することができる。
【００７８】
（付記）
以上に、本発明に係る実施形態について、詳細に説明したことからも明らかなように、前述の各実施形態の一部または全部は、以下の各付記のようにも記載することができるが、本発明はかかる場合に限るものではないことは言うまでもない。
【００７９】
（付記１）
二次電池から得られる電力によって動作する電池駆動装置において、
前記二次電池の充電回数を計数する充電回数計数部と、
前記二次電池の充電回数があらかじめ定めた充電限度回数以上に達したことを検知した際に、前記二次電池からの電力供給を停止する電圧値としてあらかじめ定めたシャットダウン電圧閾値に対して、前記二次電池の充電回数に応じてあらかじめ定めたオフセット値を加算して、調整シャットダウン電圧閾値として算出するシャットダウン電圧制御部と、
制御部と、
を有し、
前記制御部は、
前記二次電池の電池電圧が前記調整シャットダウン電圧閾値にまで低下した際に、内蔵する揮発性メモリのデータを不揮発性メモリにバックアップする動作を開始する、
ことを特徴とする電池駆動装置。
【００８０】
（付記２）
前記二次電池を組み込んでからの経過時間を計時する組み込み時間測定部
をさらに有し、
前記二次電池の充電回数があらかじめ定めた充電限度回数以上に達したことを検知し、
かつ、前記二次電池を組み込んでからの経過時間があらかじめ定めた電池交換期限以上に達したことを検知した際に、
前記調整シャットダウン電圧閾値を算出し、
前記制御部は、
前記二次電池の交換を促す警告を出力するとともに、
前記二次電池の電池電圧が前記調整シャットダウン電圧閾値にまで低下した際に、内蔵する揮発性メモリのデータを不揮発性メモリにバックアップする動作を開始する、
ことを特徴とする付記１に記載の電池駆動装置
【００８１】
（付記３）
前記調整シャットダウン電圧閾値を算出する際に用いる前記オフセット値は、
前記二次電池の充電回数が多いほど、大きい値にあらかじめ設定されている、
ことを特徴とする付記１または２に記載の電池駆動装置。
【００８２】
（付記４）
前記揮発性メモリのデータを前記不揮発性メモリへバックアップする動作が完了した際に、
前記二次電池の電力供給動作を停止する、
ことを特徴とする付記１ないし３のいずれかに記載の電池駆動装置。
【００８３】
（付記５）
自電池駆動装置は、事業所用コードレス電話端末から構成されている、
ことを特徴とする付記１ないし４のいずれかに記載の電池駆動装置。
【００８４】
（付記６）
二次電池から得られる電力によって動作する電池駆動装置の制御方法において
前記二次電池の充電回数を計数する充電回数計数ステップと、
前記二次電池の充電回数があらかじめ定めた充電限度回数以上に達したことを検知した際に、前記二次電池からの電力供給を停止する電圧値としてあらかじめ定めたシャットダウン電圧閾値に対して、前記二次電池の充電回数に応じてあらかじめ定めたオフセット値を加算して、調整シャットダウン電圧閾値として算出するシャットダウン電圧制御ステップと、
を有し、
前記二次電池の電池電圧が前記調整シャットダウン電圧閾値にまで低下した際に、揮発性メモリのデータを不揮発性メモリにバックアップする動作を開始する
ことを特徴とする電池駆動装置の制御方法。
【００８５】
（付記７）
前記二次電池を組み込んでからの経過時間を計時する組み込み時間測定ステップ、
をさらに有し、
前記二次電池の充電回数があらかじめ定めた充電限度回数以上に達したことを検知し、
かつ、前記二次電池を組み込んでからの経過時間があらかじめ定めた電池交換期限以上に達したことを検知した際に、
前記調整シャットダウン電圧閾値を算出し、
前記二次電池の交換を促す警告を出力するとともに、
前記二次電池の電池電圧が前記調整シャットダウン電圧閾値にまで低下した際に、内蔵する揮発性メモリのデータを不揮発性メモリにバックアップする動作を開始する、
ことを特徴とする付記６に記載の電池駆動装置の制御方法。
【００８６】
（付記８）
前記調整シャットダウン電圧閾値を算出する際に用いる前記オフセット値は、
前記二次電池の充電回数が多いほど、大きい値にあらかじめ設定されている、
ことを特徴とする付記６または７に記載の電池駆動装置の制御方法。
【００８７】
（付記９）
前記揮発性メモリのデータを前記不揮発性メモリへバックアップする動作が完了した際に、
前記二次電池の電力供給動作を停止する、
ことを特徴とする付記６ないし８のいずれかに記載の電池駆動装置。
【００８８】
（付記１０）
二次電池から得られる電力によって動作する電池駆動装置の制御プログラムにおいて、
前記二次電池の充電回数を計数する充電回数計数機能と、
前記二次電池の充電回数があらかじめ定めた充電限度回数以上に達したことを検知した際に、前記二次電池からの電力供給を停止する電圧値としてあらかじめ定めたシャットダウン電圧閾値に対して、前記二次電池の充電回数に応じてあらかじめ定めたオフセット値を加算して、調整シャットダウン電圧閾値として算出するシャットダウン電圧制御機能と、
を有し、
前記二次電池の電池電圧が前記調整シャットダウン電圧閾値にまで低下した際に、揮発性メモリのデータを不揮発性メモリにバックアップする動作を開始する
ことを特徴とする電池駆動装置の制御プログラム。
【００８９】
（付記１１）
前記二次電池を組み込んでからの経過時間を計時する組み込み時間測定機能
をさらに有し、
前記二次電池の充電回数があらかじめ定めた充電限度回数以上に達したことを検知し、
かつ、前記二次電池を組み込んでからの経過時間があらかじめ定めた電池交換期限以上に達したことを検知した際に、
前記調整シャットダウン電圧閾値を算出し、
前記二次電池の交換を促す警告を出力するとともに、
前記二次電池の電池電圧が前記調整シャットダウン電圧閾値にまで低下した際に、内蔵する揮発性メモリのデータを不揮発性メモリへのバックアップする動作を開始する、
ことを特徴とする付記１０に記載の電池駆動装置の制御プログラム。
【００９０】
（付記１２）
前記調整シャットダウン電圧閾値を算出する際に用いる前記オフセット値は、
前記二次電池の充電回数が多いほど、大きい値にあらかじめ設定されている、
ことを特徴とする付記１０または１１に記載の電池駆動装置の制御プログラム。
【００９１】
（付記１３）
前記揮発性メモリのデータを前記不揮発性メモリへバックアップする動作が完了した際に、前記二次電池の電力供給動作を停止する、
ことを特徴とする付記１０ないし１２のいずれかに記載の電池駆動装置の制御プログラム。
【００９２】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００９３】
１０      事業所用コードレス電話端末
１１      アンテナ
１２      無線部（ＲＦ）
１３      制御部（ＣＰＵ）
１３ａ    充電回数計数部
１３ｂ    組み込み時間測定部
１３ｃ    シャットダウン電圧制御部
１３ｄ    揮発性メモリ
１３ｅ    不揮発性メモリ
１４      充電検知部（ＣＨＧ＿ＤＥＴ）
１５      充電ＩＣ（ＣＨＧ  ＩＣ）
１６      充電端子（ＣＨＧ）
１７      二次電池（ＢＡＴ）
２０      基地局（ＣＳ）
３０      主装置
１００    事業所用ＰＨＳシステム
【図１】
2020089099.tif 000003
【図２】
2020089099.tif 000004
【図３】
2020089099.tif 000005
【図４】
2020089099.tif 000006
【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
二次電池から得られる電力によって動作する電池駆動装置において、
前記二次電池の充電回数を計数する充電回数計数部と、
前記二次電池の充電回数があらかじめ定めた充電限度回数以上に達したことを検知した際に、
前記二次電池からの電力供給を停止する電圧値としてあらかじめ定めたシャットダウン電圧閾値に対して、前記二次電池の充電回数に応じてあらかじめ定めたオフセット値を加算して、
調整シャットダウン電圧閾値として算出する
シャットダウン電圧制御部と、
制御部と、
を有し、
前記制御部は、
前記二次電池の電池電圧が前記調整シャットダウン電圧閾値にまで低下した際に、
内蔵する揮発性メモリのデータを不揮発性メモリにバックアップする動作を開始する、
ことを特徴とする電池駆動装置であって、
前記二次電池を組み込んでからの経過時間を計時する組み込み時間測定部をさらに有し、
前記二次電池の充電回数があらかじめ定めた充電限度回数以上に達したことを検知し、かつ、
前記二次電池を組み込んでからの経過時間があらかじめ定めた電池交換期限以上に達したことを検知した際に、
前記調整シャットダウン電圧閾値を算出し、
前記制御部は、
前記二次電池の交換を促す警告を出力するとともに、
前記二次電池の電池電圧が前記調整シャットダウン電圧閾値にまで低下した際に、
内蔵する揮発性メモリのデータを不揮発性メモリにバックアップする動作を開始する、
ことを特徴とする電池駆動装置。
【請求項２】
前記調整シャットダウン電圧閾値を算出する際に用いる前記オフセット値は、
前記二次電池の充電回数が多いほど、大きい値にあらかじめ設定されている、
ことを特徴とする請求項１に記載の電池駆動装置。
【請求項３】
前記揮発性メモリのデータを前記不揮発性メモリへバックアップする動作が完了した際に、
前記二次電池の電力供給動作を停止する、
ことを特徴とする請求項１または２に記載の電池駆動装置。
【請求項４】
前記電池駆動装置は、
事業所用コードレス電話端末として構成されている、
ことを特徴とする請求項１乃至３のいずれかに記載の電池駆動装置。
【請求項５】
請求項１乃至３のいずれか１項に記載の電池駆動装置が行う電池駆動装置の制御方法。
【請求項６】
コンピュータを請求項１乃至３のいずれか１項に記載の電池駆動装置として機能させることを特徴とする制御プログラム。